(57)【要約】【課題】ブックエンド板を有する可動棚を用いる机上空間の利用度をさらに高める。【解決手段】机２の天板３の上に取り付けられる上棚本体５に、左右１対の仕切板６、６を設け、両仕切板６、６の対向面に突体８を取り付けるとともに、仕切板６、６間の間隔に等しい幅を有し片面だけにブックエンド板１０を立設した棚板９の左右両側縁に、突体８に嵌挿される凹溝１１を穿設し、仕切板６、６間に突体８と凹溝１１との係合とにより、棚板９を、上下ひっくり返して仕切板６、６間に取り付けられるようにする。【選択図】　　　　図２
2004089450.tif 000002
【特許請求の範囲】
【請求項１】
机上に取り付けた上棚本体に、左右１対の仕切板を設け、両仕切板の対向面に突体を取り付けるとともに、前記１対の仕切板間の間隔と等しい幅を有し、かつブックエンド板を立設した棚板の左右両側縁に、前記突体に嵌挿しうる凹溝を設け、前記突体と凹溝との係合とにより、前記棚板を、ブックエンド板の向きを変更して、前記仕切板間に取り付けうるようにしたことを特徴とする机の上棚装置。
【請求項２】
左右１対の仕切板の対向面の中間部に、前後方向に並ぶ保持孔を設け、該保持孔に突体を着脱自在に挿し込むようにした請求項１記載の机の上棚装置。
【請求項３】
左右１対の仕切板の対向面の後部に、上下方向に並ぶ保持孔を設け、該保持孔に突体を着脱自在に挿し込むようにし、かつ棚板を、ブックエンド板が前方を向くようにして、起立状態で取り付け可能とした請求項１または２記載の机の上棚装置。
【請求項４】
左右１対の仕切板の対向面に、前後方向に並ぶ保持孔を高さを異ならせて複数列設けた請求項１〜３記載の机の上棚装置。
【請求項５】
突体を、線材の両端に同一側方を向く差し込み部を設けたものとした請求項１〜４のいずれかに記載の机の上棚装置。
【請求項６】
突体を、突軸とした請求項１〜４のいずれかに記載の机の上棚装置。
【発明の詳細な説明】
【０００１】
【発明の属する技術分野】
本発明は、机上に取り付けられる上棚装置に関する。
【０００２】
【従来の技術】
従来、机の天板上に設置される上棚装置に可動棚を設け、この可動棚の着脱により机上空間の利用度を高めようとするものがある。
【０００３】
【発明が解決しようとする課題】
しかし、従来のような可動棚の着脱だけでは、空間の利用度になお制約がある。例えば、空間を上下に分割して、下の空間にはペン差し、電話機などの物品を収容し、上の空間を書籍などの収容に用いたり、さらには、上の空間をペン差しやコルクボード等の設置に、また下の空間を書籍の収容に用いたりと、使用者の目的に応じて各種の変更ができるようにすることが望まれている。
【０００４】
本発明は、上述の問題点に鑑み、ブックエンド板を有する可動棚を用いる机上空間の利用度をさらに高めることができるようにした机の上棚装置を提供することを目的としている。
【０００５】
【課題を解決するための手段】
本発明によると、上記課題は、次のようにして解決される。
（１）机上に取り付けた上棚本体に、左右１対の仕切板を設け、両仕切板の対向面に突体を取り付けるとともに、前記１対の仕切板間の間隔と等しい幅を有し、かつブックエンド板を立設した棚板の左右両側縁に、前記突体に嵌挿しうる凹溝を設け、前記突体と凹溝との係合とにより、前記棚板を、ブックエンド板の向きを変更して、前記仕切板間に取り付けうるようにする。
【０００６】
（２）上記（１）項において、左右１対の仕切板の対向面の中間部に、前後方向に並ぶ保持孔を設け、該保持孔に突体を着脱自在に挿し込むようにする。
【０００７】
（３）上記（１）または（２）項において、左右１対の仕切板の対向面の後部に、上下方向に並ぶ保持孔を設け、該保持孔に突体を着脱自在に挿し込むようにし、かつ棚板を、ブックエンド板が前方を向くようにして、起立状態で取り付け可能とする。
【０００８】
（４）　上記（１）〜（３）項のいずれかにおいて、左右１対の仕切板の対向面に、前後方向に並ぶ保持孔を高さを異ならせて複数列設ける。
【０００９】
（５）　上記（１）〜（４）項のいずれかにおいて、突体を、線材の両端に同一側方を向く差し込み部を設けたものとする。
【００１０】
（６）　上記（１）〜（４）項のいずれかにおいて、突体を、突軸とする。
【００１１】
【発明の実施の形態】
図１は、本発明の一実施形態を備えた机の斜視図、図２は、同じく、棚板の向きを変えて取り付ける寸前の状態を示す上部の斜視図、及び図３は、仕切板の一方と棚板とを示す拡大分解斜視図である。
【００１２】
図１に示すように、本発明の一実施形態である上棚装置（１）は、机（２）の天板（３）上に、左右の締結具（４）により取り付けられている。上棚装置（１）を構成する上棚本体（５）には、その左右両端及び中間部に上下方向かつ前後方向に延びる仕切板（６）が固定的に設けられている。
【００１３】
図１〜図３に示すように、互いに向かい合う１対の仕切板（６）（６）（図１の左側の仕切板（６）と中間部の仕切板（６））の対向面には、高さを異ならせて、その後部に２個の保持孔（７ａ）（７ａ）が、また前部に２個の保持孔（７ｂ）（７ｂ）が、それぞれ前後のものが等高をなすようにして穿設されている。
また、後部には、上記２個の保持孔（７ａ）（７ａ）の下方において、上述の保持孔（７ａ）と保持孔（７ｂ）との水平距離と同じ垂直距離に同様の保持孔（７ｃ）（７ｃ）が穿設されている。
【００１４】
これらの図に示す例では、上から２列目の水平の保持孔（７ａ）（７ｂ）に、前後方向を向く線材の前後の端部に、同一側方を向く差し込み部（８ａ）（８ａ）を設けたコ状突体（８）が、その両端の差し込み部（８ａ）を差し込んで取り付けられている。
【００１５】
互いに対向する仕切板（６）（６）間に取り付けられる棚板（９）は、水平としたときの上下いずれかの片面に、前後方向かつ上下方向に延びる２枚のブックエンド板（１０）を固着したもので、左右方向の長さは、仕切板（６）（６）間の対向面間の長さに等しくしてある。
【００１６】
図３に明示してあるように、棚板（９）の左右両端面には、後端に開放する長手方向を向く凹溝（１１）が形成されている。この凹溝（１１）は、突体（８）をその全長にわたって嵌合しうる幅と長さとを有している。
【００１７】
棚板（９）の取付にあたっては、まず図２及び図３に示すように、仕切板（６）（６）の対向面における所望の高さの前後の保持孔（７ｂ）（７ａ）に突体（８）をとりつける。ついで、図２及び図３に示すように、ブックエンド板（１０）を取り付けた面を下にして、棚板（９）を前方から矢印に示すように仕切板（６）（６）の間に近付けてゆき、左右端の凹溝（１１）（１１）を、対応する突体（８）に嵌挿する。
【００１８】
このようにして取り付けられた棚板（９）は、図２において想像線で示してある。この図から明らかなように、仕切板（６）（６）間の空間は、棚板（９）により上下に２分割され、下の空間は書籍などの収納に、上の空間はペン差しやその他の小物品の載置、またはコルクボードの取り付け等に用いることができる。
【００１９】
図１に示すように、棚板（９）を、そのブックエンド板（１０）を上にして取り付ければ、上の空間を書籍などの収納に、下の空間を小物品や電話機などの物品の載置に用いることができる。
【００２０】
棚板（９）の取付高さを変えて、下の空間に収容する書籍、物品の高さに対応させることもできる。
【００２１】
図４には、仕切板（６）（６）の後部に穿設した上下方向に並ぶ保持孔（７ａ）（７ｃ）に突体（８）を取り付けて、この突体（８）に、ブックエンド板（１０）が前方を向くようにして、起立状態とした棚板（９）の凹溝（１１）を嵌挿した例を示している。このようにすれば、背の高い書籍類でもここに収納することができる。
【００２２】
上述の実施形態では、突体（８）を、線材の両端に設けた差し込み部（８ａ）を保持孔に挿入するようにしたコ状のものとしたが、これに代えて、２個の突軸を用いることもできる。
【００２３】
【発明の効果】
請求項１記載の発明によれば、棚板を上下反転したり、または９０度向きを変えたりして取り付けることにより、使用者の目的に応じて、ブックエンド板の仕切る空間を変更して、空間の利用度を高めることができる。
【００２４】
請求項２記載の発明によれば、仕切板間の空間を上下に分割し、その一方を書籍収納用の空間とすることができる。
【００２５】
請求項３記載の発明によれば、棚板を仕切板の後部に上下方向を向くように取り付けて、仕切板間の空間全体を、背の高い書籍類の収納に用いることができる。
【００２６】
請求項４記載の発明によれば、棚板で仕切られる下の空間の上下方向の寸法を増減して、収納する書籍類の背の高さに適応させることができる。
【００２７】
請求項５記載の発明によれば、棚板の充分かつ確実な支持を果たすことができる。
【００２８】
請求項６記載の発明によれば、突体を、一般的な簡単かつコストの安いものとすることができる。
【図面の簡単な説明】
【図１】本発明の一実施形態を備えた机の斜視図である。
【図２】同じく、上棚本体に棚板の向きを変えて取り付ける寸前の状態を示す上部の斜視図である。
【図３】同じく、仕切板の一方と棚板とを示す拡大分解斜視図である。
【図４】同じく、棚板を垂直に取り付けた状態を示す上部の斜視図である。
【符号の説明】
（１）上棚装置
（２）机
（３）天板
（４）締結具
（５）上棚本体
（６）仕切板
（７ａ）（７ｂ）（７ｃ）保持孔
（８）突体
（８ａ）差し込み部
（９）棚板
（１０）ブックエンド板
（１１）凹溝
【図１】
2004089450.tif 000003
【図２】
2004089450.tif 000004
【図３】
2004089450.tif 000005
【図４】
2004089450.tif 000006